(57)【要約】      （修正有）【課題】押し上げ部材を簡単な構成で垂直に保持すること、場所を選ばず何処でも簡便に用いられる可搬式の押し上げ装置を提供する。【解決手段】コの字形のベース１を下端に設けた架台２と、この架台の上面に載置するように取り付けられたジャッキ３と、ハンドル４等の固定部材やアーム５等によって垂直に架台に取り付けられたサポートパイプ６と、このサポートパイプに上下スライド自由に挿入され、下端を前記ジャッキの上端作用点に当接させたパイプ等からなる押し上げ部材７と、前記架台に設けた車輪１１とにより構成する。【選択図】図１
0003151796.tif 000002
【実用新案登録請求の範囲】
【請求項１】
コの字形のベースを下端に設けた架台と、この架台の上面に載置するように取り付けられたジャッキと、ハンドル等の固定部材やアーム等によって垂直に架台に取り付けられたサポートパイプと、このサポートパイプに上下スライド自由に挿入され、下端を前記ジャッキの上端作用点に当接させたパイプ等からなる押し上げ部材と、前記架台に設けた車輪とを有することを特徴とする押上げ装置。
【請求項２】
前記の押上げ部材にボルト・ナットで固定するジョイント金具を取付け、さらに、梨園等での棚栽培で、棚のたるみ防止のため設置されている４〜８本の吊り線を張ったポールにジョイント金具を取り付け固定し、ジャッキで押上げ部材を押上げると同時に、吊り線を張ったポールと吊り線に固定されている棚、さらには、棚に固定されている枝も持上げることができるように構成したことを特徴とする前記請求項１記載の押上げ装置。
【請求項３】
土台となるコの字型のベースにジャッキを固定する架台を設置し、ジャッキの上端に押上げ部材を固定する為の受け座を設け、ハンドル部に固定したサポートパイプの中に押上げ部材を挿し込み、受け座に固定し、さらに、数ヶ所に穴を開けた押上げ部材と高さ調整部材をボルト・ナットで固定し、高さ調整部材の上端にＴ字型・Ｕ字型の部材を挿し込み固定させて押上げる物を支え、高所の物を小さな力で、垂直に押上げることが出来るように構成したことを特徴とする前記請求項１記載の押上げ装置。
【請求項４】
あらゆる場所への移動を簡単にする為、ベース及び架台部に車輪とＵ字型のハンドルを取り付け、押上げ部材を垂直に上下させる為のサポートパイプを固定する為、アームを用いてハンドル上部に溶接して固定し、押上げ部材ズレやブレによる転倒等の危険を防止できる前記請求項２記載の押上げ装置。
【考案の詳細な説明】
【技術分野】
【０００１】  本考案は、高所の物を押し上げるための押し上げ装置に関し、特に垂れ下がった果樹栽培の棚を正常な位置に押し上げることの可能な屋外移動式の押し上げ装置に関するものである。【０００２】  更に詳しく説明すると、本考案は、高所の物を押上げる為の土台となるコの字型のベースに、架台を設置し、その架台に、押上げ部材を固定させる受け座の付いたジャッキを取付け、ハンドル部に垂直に固定したガイドパイプの中に押上げ部材を挿し込み、さらに高さ調整部材を押上げ部材の中に挿し込みボルト・ナットで位置を決め、高さ調整部材の中に押上げる物を固定するＴ字型・Ｕ字型の部材を取付け、あらゆる物を垂直に、かつ安全な押上げ機能を持たせ形成した押上げ装置に関するものである。
【背景技術】
【０００３】  物を押上げる道具としてはジャッキが一般に知られている。ジャッキで高所の物を押上げる場合は、ジャッキの上端に木材等の押し上げ桿を介在させて使用していたが、垂直に安定的に支持されていないため押し上げ桿が転倒し、怪我をする等の危険が常に伴うものであった。そのためジャッキ単独で使用される場合が殆どで、押し上げ量限定的なものであった。果樹園で棚栽培をしている梨園やぶどう園では、収穫時近くになると果実の重み、冬期には雪の重みで大事な枝や棚全体が数十センチも下がってしまい、これらの修復には数人での人力作業が余儀なくされている。【０００４】  従来、園芸用、野菜栽培用ハウスの梁や桁の垂れ下がりを押し上げて修正するものとして、次の特許文献が提案されている。
特許文献１には、ハウスの桁を持ち上げる持ち上げ具が記載されており、元の柱８に持ち上げ支柱４に設けた上部クランプ５と下部クランプ２を取り付け、垂直を保った状態で持ち上げ支柱４の下端にジャッキ３を当てて天井の桁１０を押し上げるように構成している。【０００５】  この構成では元の柱がないと持ち上げ支柱４を垂直に保持することができないので、元の支柱が存在しない屋外の、例えば果樹棚などを押し上げるものには使用できないものとなっている。
特許文献２は複数のチェーン１４４でジャキ１２の押し棒をほぼ垂直に保つもの、特許文献３には、ジャッキの構成要素であるスクリューシャフト４そのもので垂直を保つものが記載されている。
しかしながら、何れの特許文献にも、押し上げ部材を簡単な構成で垂直に保持すること、場所を選ばず何処でも簡便に用いられる可搬式のジャッキ装置は記載されていない。
【先行技術文献】
【特許文献】
【０００６】
【特許文献１】実用新案登録第３１１５２８８号公報
【特許文献２】実用新案登録第３１１７２９１号公報
【特許文献３】特開平５−１２５８４０号公報
【考案の概要】
【考案が解決しようとする課題】
【０００７】  棚栽培による果樹園では、重みで下がった枝や棚の修復作業をしないと農薬散布や草刈作業等の際、農機具で大切な枝を傷めたり頭をぶつけたり首がかかったりする危険がある為、どうしてもやらなくてはならない作業となっている。従来、ポールや棚の修復作業においては、人力で数センチ程度は持上げられるが、ポールと棚および太い枝を同時に押上げる事は非常に困難である為、ポールに固定された数本の吊り線を外し、ポールを持上げた後、再度、数人で吊り線を棚に固定する手間のかかる作業であった。【０００８】  本考案は前述の課題に着目し、押し上げ部材を簡単な構成で垂直に保持すること、場所を選ばず何処でも簡便に用いられる可搬式の押し上げ装置を提供することを目的としてなされたものである。
【課題を解決するための手段】
【０００９】  前記目的を達成するために、本考案は、コの字形のベースを下端に設けた架台と、この架台の上面に載置するように取り付けられたジャッキと、ハンドル等の固定部材やアーム等によって垂直に架台に取り付けられたサポートパイプと、このサポートパイプに上下スライド自由に挿入され、下端を前記ジャッキの上端作用点に当接させたパイプ等からなる押し上げ部材と、前記架台に設けた車輪とを有する押上げ装置としたものである。【００１０】  更に詳しくは、ベース・架台に押上げ部材を固定させる受け座の付いたジャッキを取付け、ハンドル部に固定したガイドパイプの中に押上げ部材を挿し込み、さらに高さ調整部材を押上げ部材の中に挿し込んでボルト・ナットで位置を決め、高さ調整部材の中に押上げる物を固定するＴ字型・Ｕ字型の部材を取付け使用することにより、垂直に安全な押上げ作業が出来る。又、押上げ部材と吊り線を張っているポールを金具でジョイントし、ポールを間接的に押上げる事で、ポールと吊り線及び棚も同時に押上げることが出来、吊り線を外し、再度付け直す必要がなくなり、一人での作業が簡単に出来る。さらにベースに車輪を取付け楽に移動出来るようにしたことによって問題点を解決したものである。
【考案の効果】
【００１１】  本考案は前述のように構成したものであるから、押し上げ部材を簡単な構成で垂直に保持することができ、更に場所を選ばず何処でも簡便に用いられる可搬式の押し上げ装置を提供することができたものである。【００１２】  更に詳しくは、従来、物を押上げる道具としてのジャッキで高所の物を押上げる為には、ジャッキに木材等の物を咬ませて使用していたが、転倒する等の危険が伴い、ジャッキ単独での使用が殆どであった。又、果樹園で棚栽培をしている梨園やぶどう園の棚は、収穫時には果実の重み、冬期には雪の重みで大事な枝や棚全体が数十センチも下がってしまうが、これらの修復は数人での人力作業であった。本考案は、ベース・架台に押上げ部材を固定させる受け座の付いたジャッキを取付け、ハンドル部に固定したサポートパイプの中に押上げ部材を挿し込み、さらに高さ調整部材を押上げ部材の中に挿し込み、ボルト・ナットで位置を決め、高さ調整部材の上端に押上げる物を固定するＴ字型・Ｕ字型の金具を取付け使用する事により、転倒による怪我等の危険も回避出来た。さらに、ベースに車輪を取付けた事により移動が楽になり、僅かな労力での作業な為、老若男女を問わず一人での作業を可能なものとしたものである。
【図面の簡単な説明】
【００１３】
【図１】本考案の一実施例を示す押し上げ装置の正面図。
【図２】同じく本考案の一実施例を示す側面図。
【図３】同じく本考案の一実施例構成の架台部の上面図。
【図４】本考案の一実施例で使用される受け座付きジャッキの正面図。
【考案を実施するための形態】
【００１４】  高所の物を安全かつ簡単に押上げる為に、転倒防止用ベース・架台に押上げ部材を固定させる受け座の付いたジャッキを取付け、ハンドル部に固定したサポートパイプの中に押上げ部材を挿し込み、さらに高さ調整部材を押上げ用部材の中に挿し込み、ボルト・ナットで位置を決め、高さ調整部材の上端に押上げる物を固定するＴ字型・Ｕ字型の部材を取付け、ジャッキで垂直に押上げ、予め用意しておいた支え棒で押上げた物を固定し、後にジャッキを弛め作業を終了する。又、果樹園等の棚栽培における棚の修復作業で、特に数本の吊り線を張っているポール等は、押上げ部材、又は高さ調整部材とポールを金具でジョイントし、押上げ部材を押上げる事によりポール及び吊り線、更には棚や太い枝まで同時に押上げる事が出来る。後はポールの下端の地面を養生し、押上げた分をコンクリートブロック等でポールを受け、ジャッキを下げて作業を終了する。
【実施例】
【００１５】  以下、図に基づいて一実施例の構成を説明する。
１は鉄、ステンレス、あるいはアルミニウムの角材、棒材、管材、あるいは型鋼などでコの字形に構成したコの字形ベースで、同様の材料で構成した架台２の下端に溶接や螺子、リベット等で固定されている。３は、この架台２の上面に取り付けられ前記と同様の金属板で構成した載置台２１の上面に載置固定された操作レバー３１を有するパンタグラフ式のジャッキである。尚、このジャッキは油圧式のものも適宜選択して用いることができる。【００１６】  ４はハンドルで、前記と同様の材料の角材、棒材、管材、あるいは型鋼などをＵ字状に成形し、コの字型ベース１及び架台２にコの字型ベース１の開放方向と反対方向の側部に図２で示したように溶接により固定されている。このハンドル４の上部には、前記と同様の金属で構成されたアームで５を溶接等で固着し、このアーム５の先端に管状のサポートパイプ６を垂直に溶接し固定している。本実施例ではアーム５を単一のものとしたが、より強固、且つ、不動にサポートパイプ６取り付けるためには、アーム５をハンドル４の下方にも設けることをも考慮すべきである。【００１７】  ７は上部に一個あるいは数個の穴９を開けたパイプ状の押上げ部材で、前記サポートパイプ６に上下にスライド可能に挿入されている。この押し上げ部材７の下端は前記ジャッキ３の上端に固定されている環状の受け座１３に挿入し、横方向に離脱しないように固定する。通常押し上げ部材７は自己の重力により下方に押圧されているので離脱の可能性は少ないが、心配であればネジ３２で抜け止めするようにしても良い。
このように構成したことにより、ジャッキ３を作動させて押上げ部材７を押し上げ、あるいは押し下げるとき、サポートパイプ６及び受け座１３で押上げ部材７を垂直に保持することができるので、転倒等の危険を回避することができ、安全に果樹棚等の押し上げ作業を行うことができるものである。【００１８】  ８は、押し上げ部材の一部を構成し、押し上げ部材の高さを調整するために設けられ、前記と同様の材料でパイプ状に形成された高さ調整部材である。この高さ調整部材８は前記押し上げ部材７にスライド自在に上方から挿入されるものであって、その上下方向には数ヶ所の穴を設けている。
高さを調整する場合は、押上げ部材７に開けた穴と高さ調整部材８に開けた穴を使い、押上げる物までの高さに応じて位置を決め、穴同士が合致した位置でボルトを穴に挿入し、突出したボルトの先端にナット９を螺合して高さを調整し固定する。【００１９】  １０は、果樹棚、天井の梁、桁などの下に当接させるＴ字型あるいはＵ字型の当接部材で、前記高さ調整部材８上端に挿し込むものである。この当接部材はＴ字型あるいはＵ字型に形成されているので、棚等の押上げられる物を確実に支えることができ、当接部が滑って外れて転倒する等の危険もなく、老若男女を問わず小さな力での作業が可能になったものである。
１１は果樹園等でこぼこの地面でも、本考案押し上げ装置を自由に移動することができるように架台２に設けた比較的大きな車輪である。１２は前記高さ調整部材８に設けたジョイント金具で、図５に示した棚網の支持ポール１４を押し上げるために用いられる。実際の作業に当たっては、支持ポール１４に高さ調整部材８をボルト・ナットなどで固定する。次いでジャッキ３を操作レバー３１で操作し、押上げ部材７を押上げれば、これにジョイント金具１２で一体化された支持ポール１４も同時に押上げられるので、一人での作業を安全かつ簡単に行うことができるものである。【００２０】  前述のように本考案は、押し上げ部材を簡単な構成で安全に垂直に保持することができ、又、場所を選ばず何処でも簡便に用いられる可搬式の押し上げ装置を得ることができたものである。又、従来複数の作業者を必要とした作業を一人で作業することができ、作業性も向上するという顕著、且つ、経済上画期的な押し上げ装置を提供することができたものである。
尚、本考案は前述の一実施例に限定されるものではなく、実用新案登録請求の範囲内において種々の変形例が考察でき、これらをも含むものであることを付言する。
【符号の説明】
【００２１】１：コの字型ベース    ２：架台    ３：ジャッキ    ４：ハンドル    ５：アーム
６：サポートパイプ    ７：押上げ部材    ８：高さ調整部材    ９：ボルト・ナット
１０：当接部材    １１：車輪    １２：ジョイント金具    １３：受け座
１４：支持ポール    ２１：載置台    ３１：操作レバー    ３２：ネジ
【図１】
0003151796.tif 000003
【図２】
0003151796.tif 000004
【図３】
0003151796.tif 000005
【図４】
0003151796.tif 000006
【図５】
0003151796.tif 000007
【手続補正書】
【提出日】平成21年5月11日(2009.5.11)
【手続補正１】
【補正対象書類名】明細書
【補正対象項目名】００１３
【補正方法】変更
【補正の内容】
【００１３】
【図１】本考案の一実施例を示す押し上げ装置の正面図。
【図２】同じく本考案の一実施例を示す側面図。
【図３】同じく本考案の一実施例構成の架台部の上面図。
【図４】本考案の一実施例で使用される受け座付きジャッキの正面図。
【図５】本考案押上げ装置でポールを持ち上げている使用状態図。